(57)【要約】【課題】従来の光アクセス装置のリモート端末側において光（光信号）の受光レベルに問題が発生した際、同一ネットワーク上への他システムへの影響が懸念される場合において、運用員・保守員が駆けつけて被疑端末を現場にてネットワークから切り離さなければならないという問題があった。【解決手段】リモート端末において受光レベルを自己診断し、装置端末のＬＥＤによって判断可能であるとともに、調整可能な範囲であればセンター装置へ光の送信レベルの調整を要求し、センター装置が光の送出レベルを調整することで異常を回避する。また、調整範囲を超えた異常の場合は、リモート端末が光の送信を自律的に停止することで、自律的にネットワークから自らを解離し、ネットワーク上の他システムへの影響を遮断する。【選択図】図１
2008172320.tif 000002
【特許請求の範囲】
【請求項１】
光信号の送信レベルを調節して送出するセンター端末と、
前記センター端末から送出された光信号の受光レベルを測定し、前記受光レベルが前記センター端末の調整可能な範囲内の場合は前記センター端末に対して光信号の送信レベルを調節するよう要求し、前記受光レベルが前記センター端末の調整可能な範囲を超えている場合は光信号の送出を停止するリモート端末と
を具備する
自己解析システム。
【請求項２】
請求項１に記載の自己解析システムであって、
前記リモート端末は、前記受光レベルが予め定められた損失を超えた場合、前記センター端末へ警報を送信し、
前記センター端末は、前記警報に応じて光信号の送信レベルを調節する
自己解析システム。
【請求項３】
請求項２に記載の自己解析システムであって、
前記リモート端末は、前記警報を所定の回数送出した場合、光信号の送出を停止する
自己解析システム。
【請求項４】
請求項２又は３に記載の自己解析システムであって、
前記センター端末は、前記警報を所定の回数受信した場合、前記リモート端末に光信号の送出を停止するように指示する
自己解析システム。
【請求項５】
請求項１乃至４のいずれか一項に記載の自己解析システムであって、
前記リモート端末は、前記受光レベルが予め定められた範囲のどこにあるかに応じて、ＬＥＤの点灯方法を変更する
自己解析システム。
【請求項６】
ネットワークから光信号を受信する光受信部と、
前記光受信部が受信した光信号の受光レベルを測定する受光レベル測定部と、
前記受光レベルが予め定められた損失を超えた場合、調整を要求するための警報を前記ネットワークへ送出する警報送信部と、
前記受光レベルが調整可能な範囲を超えている場合は光信号の送出を停止する光送信停止部と
を具備する
光アクセス装置。
【請求項７】
請求項６に記載の光アクセス装置であって、
前記ネットワークから受信した警報に応じて光信号の送信レベルを変更する光送信レベル変更部と、
前記送信レベルが変更された光信号を前記ネットワークに送出する光送信部と
を更に具備する
光アクセス装置。
【請求項８】
請求項６又は７に記載の光アクセス装置であって、
前記受光レベル測定部は、前記受光レベルに応じてＬＥＤの点灯方法を変更する
光アクセス装置。
【請求項９】
請求項６乃至８のいずれか一項に記載の光アクセス装置であって、
前記光送信停止部は、前記警報を所定の回数送出した場合、光信号の送出を停止する
光アクセス装置。
【請求項１０】
（ａ）センター装置からリモート端末へ光信号を送信するステップと、
（ｂ）前記リモート端末が、前記センター装置から送信された光信号を受信し受光レベルを測定するステップと、
（ｃ）前記受光レベルが予め定められた損失を超えた場合、前記リモート端末から前記センター装置へ警報を送出するステップと、
（ｄ）前記センター装置が、前記リモート端末から前記警報を受信するステップと、
（ｅ）前記センター装置が、前記警報に応じて光信号の送出レベルを調整し、前記送出レベルを調整された光信号を前記リモート端末に送信するステップと、
（ｆ）前記リモート端末が、警報を所定の回数送出した場合、光信号の送信を停止し、前記リモート端末をネットワークから遮断するステップと
を具備する
自己解析方法。
【請求項１１】
請求項１０に記載の自己解析方法であって、
前記（ｂ）ステップは、
（ｂ１）前記リモート端末が、前記受光レベルが予め定められた範囲のどこにあるかによってＬＥＤの点灯方法を変更するステップ
を具備する
自己解析方法。
【請求項１２】
（Ａ）ネットワークから受信した光信号の受光レベルを測定するステップと、
（Ｂ）前記受光レベルが予め定められた損失を超えた場合、調整を要求するための警報を前記ネットワークへ送出するステップと、
（Ｃ）前記受光レベルが調整可能な範囲を超えている場合、光信号の送出を停止するステップと
を具備する
自己解析方法。
【請求項１３】
請求項１２に記載の自己解析方法であって、
（Ｄ）前記ネットワークから受信した警報に応じて光信号の送信レベルを変更するステップと、
（Ｅ）前記送信レベルが変更された光信号を前記ネットワークに送出するステップと
を更に具備する
自己解析方法。
【請求項１４】
請求項１２又は１３に記載の自己解析方法であって、
前記（Ａ）ステップは、
（Ａ１）前記受光レベルに応じてＬＥＤの点灯方法を変更するステップ
を具備する
自己解析方法。
【請求項１５】
請求項１２乃至１４のいずれか一項に記載の自己解析方法であって、
前記（Ｃ）ステップは、
（Ｃ１）前記警報を所定の回数送出した場合、光信号の送出を停止するステップ
を具備する
自己解析方法。
【請求項１６】
請求項１０乃至１５のいずれか一項に記載の自己解析方法を、コンピュータに実行させるためのプログラム。
【発明の詳細な説明】
【技術分野】
【０００１】
本発明は、自己解析システムに関し、特に光アクセス装置のリモート端末による自己解析システムの光アクセス装置に関する。
【背景技術】
【０００２】
従来の光アクセス装置においては、リモート端末において光（光信号）送出状態にて問題が発生した際に、ネットワークへ影響を及ぼしてしまっている場合があるが、リモート端末の多くは、通信業者が直接管理している局舎以外に設置されており、運用員・保守員が駆けつけるまでは待ち続けなければならないという問題があった。
【０００３】
また、従来の光アクセス装置のリモート端末側において光の受光レベルに問題が発生した際、同一ネットワーク上への他システムへの影響が懸念される場合において、運用員・保守員が駆けつけて被疑端末を現場にてネットワークから切り離さなければならないという問題があった。
【０００４】
また、特開２００５−２７７７１２号公報（特許文献１）に光伝送システムとその光受信装置が開示されている。
この従来技術では、光ファイバを介して到来する光信号の受光レベルを検出し、予め定められた規定値と受光レベルとを比較し、その差に基づいて、無線周波数信号の出力レベルを規定値に安定化させるための制御信号を生成する。
【０００５】
また、特開２００６−１８６４０９号公報（特許文献２）に光伝送システムとその光送信装置及び光受信装置が開示されている。
この従来技術では、受信側では光信号の受光レベルの瞬時値及び積分値をモニタし、受光レベルに示されるパルス波形のエッジにより警報の発生を検出する。警報信号が発生するとＬＤ駆動部を停止し、電流供給を停止することにより強制的に発光素子を駆動停止するようにする。
【０００６】
また、特開平０８−０７９１８５号公報（特許文献３）に光出力制御回路及びそれを用いた光通信装置が開示されている。
この従来技術では、加入者装置は局装置からの入力光により，局装置とのおよその距離を判定し，局装置の光受信部において，どの加入者装置からも一定な受信レベルとなるような出力レベルで送出する。その後，この光出力レベルに基づいて，局装置は，加入者装置に対して細かな調整を行う光出力レベル制御信号を送出する。
【０００７】
また、特開平０９−１３５２０９号公報（特許文献４）に光伝送装置及び光伝送システムが開示されている。
この従来技術では、光伝送装置は、互いの送信部と受信部とが光ファイバで接続され、双方向でデータの通信を行っている。一方の光伝送装置は、受信部に設けた受光素子における受信レベルが所定のレベル以下になると、その旨を他方の光伝送装置に通知する。この通知を受けた他方の光伝送装置は送信レベル変更回路に設定されている送信レベルを変更し、送信部に設けた発光素子を発光させる。また、表示部には回線の異常等を検出した際にはその旨を表示する。
【０００８】
【特許文献１】特開２００５−２７７７１２号公報
【特許文献２】特開２００６−１８６４０９号公報
【特許文献３】特開平０８−０７９１８５号公報
【特許文献４】特開平０９−１３５２０９号公報
【発明の開示】
【発明が解決しようとする課題】
【０００９】
本発明の目的は、リモート端末で異常が検出された際に、自律的に遮断されることにより、他ネットワークへ影響を及ぼさない自己解析システムを提供することである。
本発明の他の目的は、リモート端末において受光レベルを自己診断し、装置端末のＬＥＤによって判断可能とし、調整可能な範囲であればセンター装置へ光（光信号）の送信レベルの調整を要求し、センター装置が光の送出レベルを調整することで異常を回避する自己解析システムを提供することである。
本発明の更に他の目的は、調整範囲を超えた異常の場合は、リモート端末が光の送信を自律的に停止することで、自律的にネットワークから自らを解離し、ネットワーク上の他システムへの影響を遮断する自己解析システムを提供することである。
【課題を解決するための手段】
【００１０】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１１】
本発明の自己解析システムは、光信号の送信レベルを調節して送出するセンター端末（１０）と、センター端末（１０）から送出された光信号の受光レベルを測定し、受光レベルがセンター端末（１０）の調整可能な範囲内の場合はセンター端末（１０）に対して光信号の送信レベルを調節するよう要求し、受光レベルがセンター端末（１０）の調整可能な範囲を超えている場合は光信号の送出を停止するリモート端末（２０）とを具備する。
【００１２】
リモート端末（２０）は、受光レベルが予め定められた損失を超えた場合、センター端末（１０）へ警報を送信する。センター端末（１０）は、警報に応じて光信号の送信レベルを調節する。
【００１３】
リモート端末（２０）は、警報を所定の回数送出した場合、光信号の送出を停止する。
【００１４】
センター端末（１０）は、警報を所定の回数受信した場合、リモート端末（２０）に光信号の送出を停止するように指示する。
【００１５】
リモート端末（２０）は、受光レベルが予め定められた範囲のどこにあるかに応じて、ＬＥＤの点灯方法を変更する。
【００１６】
本発明の光アクセス装置は、ネットワーク（１００）から光信号を受信する光受信部（１２１，２２１）と、光受信部（１２１，２２１）が受信した光信号の受光レベルを測定する受光レベル測定部（２２２）と、受光レベルが予め定められた損失を超えた場合、調整を要求するための警報をネットワーク（１００）へ送出する警報送信部（２１３）と、受光レベルが調整可能な範囲を超えている場合は光信号の送出を停止する光送信停止部（２１２）とを具備する。
【００１７】
本発明の光アクセス装置は、ネットワーク（１００）から受信した警報に応じて光信号の送信レベルを変更する光送信レベル変更部（１１２）と、送信レベルが変更された光信号をネットワーク（１００）に送出する光送信部（１１１，２１１）とを更に具備する場合がある。
【００１８】
受光レベル測定部（２２２）は、受光レベルに応じてＬＥＤの点灯方法を変更する。
【００１９】
光送信停止部（２１２）は、警報を所定の回数送出した場合、光信号の送出を停止する。
【００２０】
本発明の自己解析方法は、（ａ）センター装置からリモート端末（２０）へ光信号を送信するステップと、（ｂ）リモート端末（２０）が、センター装置から送信された光信号を受信し受光レベルを測定するステップと、（ｃ）受光レベルが予め定められた損失を超えた場合、リモート端末（２０）からセンター装置へ警報を送出するステップと、（ｄ）センター装置が、リモート端末（２０）から警報を受信するステップと、（ｅ）センター装置が、警報に応じて光信号の送出レベルを調整し、送出レベルを調整された光信号をリモート端末（２０）に送信するステップと、（ｆ）リモート端末（２０）が、警報を所定の回数送出した場合、光信号の送信を停止し、リモート端末（２０）をネットワーク（１００）から遮断するステップとを具備する。
【００２１】
（ｂ）ステップは、（ｂ１）リモート端末（２０）が、測定した受光レベルが予め定められた範囲のどこにあるかによってＬＥＤの点灯方法を変更するステップを具備する場合がある。
【００２２】
本発明の他の自己解析方法は、（Ａ）ネットワーク（１００）から受信した光信号の受光レベルを測定するステップと、（Ｂ）受光レベルが予め定められた損失を超えた場合、調整を要求するための警報をネットワーク（１００）へ送出するステップと、（Ｃ）受光レベルが調整可能な範囲を超えている場合、光信号の送出を停止するステップとを具備する。
【００２３】
本発明の他の自己解析方法は、（Ｄ）ネットワーク（１００）から受信した警報に応じて光信号の送信レベルを変更するステップと、（Ｅ）送信レベルが変更された光信号をネットワーク（１００）に送出するステップとを更に具備する場合がある。
【００２４】
（Ａ）ステップは、（Ａ１）受光レベルに応じてＬＥＤの点灯方法を変更するステップを具備する場合がある。
【００２５】
（Ｃ）ステップは、（Ｃ１）警報を所定の回数送出した場合、光信号の送出を停止するステップを具備する場合がある。
【００２６】
本発明のプログラムは、上記の自己解析方法をコンピュータに実行させる。
【発明の効果】
【００２７】
運用者・保守者による介在が無い場合でも自律的に光（光信号）の送出レベルを調整可能となる。
【発明を実施するための最良の形態】
【００２８】
本発明では、光アクセス装置のリモート端末で受光レベルを自己診断し、受光レベルの異常が検出された場合には、リモート端末からセンター装置へ警報を送出することにより、光（光信号）の送信レベル調整を要求する。要求を受けたセンター装置は光の送出レベルを調整する。調整できる範囲を超えている場合には、リモート端末は光の送出を停止し、自律的に光アクセスシステムから遮断される。
【００２９】
以下に、本発明の第１実施形態について添付図面を参照して説明する。
図１を参照すると、本発明の自己解析システムは、センター装置１０と、リモート端末２０と、リモート端末３０を備えている。センター装置１０、リモート端末２０、及びリモート端末３０は、いずれも光アクセス装置である。リモート端末２０、リモート端末３０は、プログラム制御で動作し、ネットワーク１００を介して、センター装置１０と接続されている。
【００３０】
センター装置１０は、光の送信／受信回路を実装し、光の送信／受信機能を備えている。送信回路においては、光の送信レベルが変更可能な機能を備えている。各機能は、センター装置１０の内部において、記憶装置（メモリ等）に記憶された設定情報に応じて処理装置（ＣＰＵ等）が行うようにしても良い。但し、実際には、光の送信／受信機能を備える装置と、光の送信レベルが変更可能な機能を備える装置とは、個々に独立した装置でも良い。センター装置１０は、これらの装置の総称である。
【００３１】
リモート端末２０、リモート端末３０は、光の送信／受信回路を実装し、光の送信／受信機能を備えている。受信回路においては、受光レベル測定機能を備えている、送信回路においては、送信停止の機能を備えている。また、警報送信機能を備えている。各機能は、リモート端末２０又はリモート端末３０の内部において、記憶装置（メモリ等）に記憶された設定情報に応じて処理装置（ＣＰＵ等）が行うようにしても良い。但し、実際には、光の送信／受信機能を備える装置、受光レベル測定機能を備える装置、送信停止の機能を備える装置、及び、警報送信機能を備える装置は、個々に独立した装置でも良い。リモート端末２０（又はリモート端末３０）は、これらの装置の総称である。
【００３２】
ネットワーク１００は、光通信用の通信回線（光ファイバ等）を使用した光ネットワークであり、センター装置１０、リモート端末２０、及びリモート端末３０の各々を接続する。ネットワーク１００上（個々の端末間）に光の増幅器（アンプ）が存在しても良い。このとき、センター装置１０が光の増幅器でも良い。
【００３３】
但し、実際には、必ずしもネットワーク１００の全体が光ネットワークでなくても良い。例えば、ネットワーク１００上に電気信号回線を利用する中継機が存在しても良い。この場合、センター装置１０から光を受信した受光装置が受光レベルを示す情報を電気信号回線を介して中継機に送信する。中継機から該受光レベルを示す情報を電気信号回線を介して発光装置に送信する。発光装置が該受光レベルを示す情報に基づいてリモート端末２０に光を送信する。結果的に、リモート端末２０がセンター装置１０からの光の受光レベルを測定可能であれば良い。逆に、リモート端末２０からセンター装置１０に光を送信する場合は、センター装置１０とリモート端末２０とを読み替える。なお、中継装置は複数でも良い。
【００３４】
次に、図２を参照して、センター端末の構成について説明する。
図２に示すように、センター端末１０は、送信回路１１と、受信回路１２を備えている。送信回路１１は、光送信部１１１と、光送信レベル変更部１１２を備えている。受信回路１２は、光受信部１２１を備えている。光送信部１１１は、光を送信する。光送信レベル変更部１１２は、光送信部１１１から送信される光の送信レベルを変更する。光受信部１２１は、光を受信する。
【００３５】
次に、図３を参照して、リモート端末の構成について説明する。
ここでは、リモート端末２０について説明するが、リモート端末３０もリモート端末２０と同様である。図３に示すように、リモート端末２０は、送信回路２１と、受信回路２２を備えている。送信回路２１は、光送信部２１１と、光送信停止部２１２と、警報送信部２１３を備えている。受信回路２２は、光受信部２２１と、受光レベル測定部２２２を備えている。光送信部２１１は、光を送信する。光送信停止部２１２は、光送信部２１１に対して光の送信を停止するよう指示する。警報送信部２１３は、警報を送信する。光送信部２１１を介して警報を送信することが好ましいが、光送信部２１１を介さず、電気通信回線を介して警報を送信しても良い。これにより、光ネットワークから遮断されていても警報の送信が可能になる。なお、光送信部２１１と警報送信部２１３は一体でも良い。光受信部２２１は、光を受信する。受光レベル測定部２２２は、受信した光の受光レベルを測定し、受光レベルに応じてＬＥＤの点灯方法を変更する。但し、実際には、ＬＥＤに限定されるものではなく、ＬＥＤ以外の発光装置、表示装置、又は音声出力装置でも良い。例えば、音声出力装置の場合は、受光レベルに応じて発信音の出力の有無、速さ、回数等を変更する。
【００３６】
センター装置１０、リモート端末２０、及びリモート端末３０の各々は、同じ構成でも良い。送信側と受信側は同じ構成の通信装置である場合が多い。すなわち、本発明の光アクセス装置は、図２，図３に示すセンター端末及びリモート端末の構成を全て備えていても良い。
【００３７】
次に、図４を参照して、本発明の自己解析システムの動作について詳細に説明する。
（１）ステップＳ１０１
センター装置１０からリモート端末２０へ光を送信する。具体的には、光送信部１１１が、光受信部２２１に対して光を送信する。
（２）ステップＳ１０２
リモート端末２０は、センター装置１０から送信された光を受信し、受光レベルを測定（診断）する。リモート端末２０は、測定した受光レベルが予め定められた範囲のどこにあるかによってＬＥＤの点灯方法を変更する。具体的には、光受信部２２１が、光送信部１１１から送信された光を受信し、受光レベル測定部２２２が、受信した光の受光レベルを測定（診断）し、測定した受光レベルが予め定められた範囲のどこにあるかによってＬＥＤの点灯方法を変更する。
（３）ステップＳ１０３
リモート端末２０は、センター装置１０から送信された光の受光レベルが予め定められた損失を超えた際には、センター装置１０へ警報を送出する。具体的には、警報送信部２１３が、光受信部１２１に対して警報を送信する。
（４）ステップＳ１０４
センター装置１０は、リモート端末２０から警報を受信する。具体的には、光受信部１２１が、警報送信部２１３から警報を受信する。
（５）ステップＳ１０５
警報を受信したセンター装置１０は、光の送出レベルを調整し、リモート端末２０に送信する。具体的には、光送信レベル変更部１１２が光の送出レベルを調整し、光送信部１１１が、送出レベルを調整された光を、光受信部２２１に対して送信する。
（６）ステップＳ１０６
リモート端末２０は、センター装置１０から送信された光（送出レベルを調整された光）を受信し、受光レベルを測定（診断）する。具体的には、光受信部２２１が、光送信部１１１から送信された光（送出レベルを調整された光）を受信し、受光レベル測定部２２２が、受信した光の受光レベルを測定（診断）する。
（７）ステップＳ１０７
リモート端末２０は、センター装置１０から送信された光（送出レベルを調整された光）の受光レベルが予め定められた損失を超えた際には、リモート端末２０からセンター装置１０へ警報を送出する。具体的には、光送信部１１１から送信された光（送出レベルを調整された光）の受光レベルが予め定められた損失を超えた際には、警報送信部２１３が、光受信部１２１に対して警報を送信する。この場合、再度、ステップＳ１０４に移行する。
（８）ステップＳ１０８
リモート端末２０は、ｎ回（所定の回数）警報を送出した場合、光の送信を停止し、ネットワーク１００から遮断される。具体的には、光送信停止部２１２が、光送信部２１１に対して光の送信を停止するよう指示する。
【００３８】
ここでは、リモート端末２０をネットワーク１００から遮断する場合、リモート端末２０自身が自律的に光の送信を停止し、自身をネットワーク１００から遮断している。但し、実際には、センター装置１０がリモート端末２０をネットワーク１００から遮断するように指示しても良い。このとき、センター装置１０は、光を送信してから一定時間内にリモート端末２０から警報を受信しない場合や、リモート端末２０からｎ回（所定の回数）警報を受信した場合に、リモート端末２０をネットワーク１００から遮断するように指示する。
【００３９】
以上のように、本発明によれば、受光レベルが調整可能であれば、自律的な修正を施し、損失が調整可能な範囲を超えている場合には、リモート端末２０がネットワーク１００から遮断され、リモート端末３０への影響を最小とすることができる。
【００４０】
また、本発明によれば、運用者・保守者による介在が無い場合でも自律的に光の送出レベルを調整されるか、ネットワークからリモート装置が遮断されるため、リモート端末設置局が無人の局舎であれば、その効果は顕著である。
【００４１】
本発明の自己解析システムは、以下の機能を備える。
（１）リモート端末における受光レベル自己診断機能。
（２）リモート端末における受光レベル自己診断によるＬＥＤ表示機能。
（３）センター装置における送信レベルの自動調整機能。
（４）リモート端末における自動光送信停止機能。
【図面の簡単な説明】
【００４２】
【図１】図１は、本発明の自己解析システムの構成を示す概念図である。
【図２】図２は、センター端末の構成を示すブロック図である。
【図３】図３は、リモート端末の構成を示すブロック図である。
【図４】図４は、本発明の自己解析システムの動作を示すシーケンス図である。
【符号の説明】
【００４３】
１０…  センター装置
１１…  送信回路
１１１…  光送信部
１１２…  光送信レベル変更部
１２…  受信回路
１２１…  光受信部
２０…  リモート端末
２１…  送信回路
２１１…  光送信部
２１２…  光送信停止部
２１３…  警報送信部
２２…  受信回路
２２１…  光受信部
２２２…  受光レベル測定部
３０…  リモート端末
１００…  光ネットワーク
【図１】
2008172320.tif 000003
【図２】
2008172320.tif 000004
【図３】
2008172320.tif 000005
【図４】
2008172320.tif 000006